(57)【要約】【課題】非常時に持ち出しやすい場所に物品を保管することができると共に、そのような場所で日常的に目にしても外観がよく違和感のないバッグを提供する。【解決手段】バッグ１の構成を、外形が直方体のバッグ本体１０と、バッグ本体の六面のうち少なくとも一面において開口している開口部１５と、開口部を開閉する蓋部２０と、バッグ本体の背面に取り付けられている永久磁石と、バッグ本体の背面における外周部に取り付けられている複数の環状部４１と、複数の環状部に通されることにより、または、係止されることにより、背負いベルトまたは片方の肩に掛ける肩ベルトとなるベルト体と、を具備する構成とする。【選択図】図１
0003220150.tif 000002
【実用新案登録請求の範囲】
【請求項１】
外形が直方体のバッグ本体と、
該バッグ本体の六面のうち少なくとも一面において開口している開口部と、
該開口部を開閉する蓋部と、
前記バッグ本体の背面に取り付けられている永久磁石と、
前記バッグ本体の背面における外周部に取り付けられている複数の環状部と、
複数の該環状部に通されることにより、または、係止されることにより、背負いベルトまたは片方の肩に掛ける肩ベルトとなるベルト体と
を具備することを特徴とするバッグ。
【請求項２】
前記開口部が前記蓋部によって閉じられている状態で、前記開口部の内周縁は、前記バッグ本体の正面、平面、底面、右側面、及び左側面に表れていない
ことを特徴とする請求項１に記載のバッグ。
【請求項３】
複数の前記環状部は、前記バッグ本体に対して回動することにより、全体が前記バッグ本体の背面と重畳した姿勢を取るものである
ことを特徴とする請求項１または請求項２に記載のバッグ。
【請求項４】
前記開口部は、前記バッグ本体の背面で開口しており、
前記蓋部は、スライドファスナーを介して前記開口部を開閉する
ことを特徴とする請求項１乃至請求項３の何れか一つに記載のバッグ。
【請求項５】
前記開口部は、前記バッグ本体の上面から正面にかけて、それぞれの面において部分的に開口しており、
前記蓋部は、少なくとも前記バッグ本体の上面及び正面を全面的に被覆する折り曲げ式蓋である
ことを特徴とする請求項１乃至請求項３の何れか一つに記載のバッグ。
【考案の詳細な説明】
【技術分野】
【０００１】
本考案は、非常持出し用に適したバッグに関するものである。
【背景技術】
【０００２】
災害に見舞われた場合など、非常時に避難する際に必要な物を持ち出すことができるように、予め物品をまとめておくことが推奨されているが、近年、大規模な災害が続いたことから、このような備えに対する意識が高まっている。従来、このような非常持出し用の物品は、リュックサックに収納されるのが一般的であった。非常持出し用のリュックサックは、“非常持出し袋”と称されているように、可撓性を有する生地で形成された袋状の本体を有しており、内容物の輪郭を反映させて大きく膨らむため、外観がよくない。そのため、従来タイプの非常持出し用リュックサックが、日常的に目に付く場所に置かれていると違和感があり、そのような保管の仕方は好まれない傾向がある。
【０００３】
しかしながら、非常持出し用リュックサックを、目に付きにくい場所に収納してしまうと（隠してしまうと）、いざというときに取り出しにくく、速やかに持ち出すことができない。
【０００４】
本考案者は、日常生活の中で目に付き易い場所こそが、非常時に物品を持ち出しやすい場所であり、そのような場所に物品を保管すべきであると考えた。
【考案の概要】
【考案が解決しようとする課題】
【０００５】
上記のように、本考案は、非常時に持ち出し易い場所に保管することができると共に、そのような場所で日常的に目にしても外観がよく違和感のないバッグの提供を、課題とする。
【課題を解決するための手段】
【０００６】
上記課題を解決するため、本考案にかかるバッグは、
「外形が直方体のバッグ本体と、
該バッグ本体の六面のうち少なくとも一面において開口している開口部と、
該開口部を開閉する蓋部と、
前記バッグ本体の背面に取り付けられている永久磁石と、
前記バッグ本体の背面における外周部に取り付けられている複数の環状部と、
複数の該環状部に通されることにより、または、係止されることにより、背負いベルトまたは片方の肩に掛ける肩ベルトとなるベルト体と
を具備する」ものである。
【０００７】
本構成のバッグは、バッグ本体の背面に永久磁石が取り付けられているため、スチール製のドアや壁など、強磁性体で形成された面や、強磁性体を含む塗料で被覆された面に、バッグ本体の背面を対面させた状態で吸着させ、保持させることができる。これにより、例えば、非常持出し用の物品を収容させたバッグを、玄関のドアや玄関近くの壁に取り付けておくことができ、非常時に玄関から避難する際に、速やかに持ち出すことができる。また、スチール製のデスクやロッカーなど、職場で自分が使用するスペースにおいて強磁性を有する面に、非常持出し用の物品を収容させたバッグを保持させておけば、職場にいる間に災害に遭ったときも、避難に際して速やかにバッグを持ち出すことができる。
【０００８】
バッグ本体の外形は直方体であって輪郭が直線であるため、ドア、壁、デスクなど、直線状の輪郭線を有する室内の構成とよく馴染み、すっきりとした印象を与えて外観が良いため、日常的に目に付く場所に保管することができる。また、かっちりとした直方体のバッグは、従来の非常持出し袋のイメージと相違するため、非常持出し用のバッグであることが分かりにくく、日常的に目に付く場所に保管されていても違和感がない。
【０００９】
そして、バッグが備えている環状部に、ベルト体を通したり係止させたりすることにより背負いベルトまたは肩ベルトとなるため、リュックサック型またはショルダーバッグ型のバッグとして携帯し、両手を空けた状態で避難することができる。
【００１０】
ここで、環状部とベルト体の具体的な態様としては、バッグ本体の背面における上部中央と下部の左右端近傍の計三カ所に環状部を設け、両端にフックを有するベルト体の一本を上部中央の環状部に通した上で、両端のフックをそれぞれ下部の左右端近傍の環状部に係止させることにより背負いベルトとする態様、バッグ本体の背面における上部及び下部それぞれの左右端近傍の計四カ所に環状部を設け、両端にフックを有するベルト体の二本のうちの一方のフックを、上部及び下部それぞれにおける左側の環状部に係止させる一方で、他方のベルト体のフックを上部及び下部それぞれにおける右側の環状部に係止させることにより背負いベルトとする態様、バッグ本体の背面における上部及び下部それぞれに一カ所ずつ環状部を設け、両端にフックを有するベルト体一本のフックをそれぞれ環状部に係止させることにより、片方の肩に掛ける肩ベルトとする態様、を例示することができる。
【００１１】
なお、バッグ本体が環状部を有しているため、強磁性を有していなくてもフックを備える面であれば、環状部をフックに引掛けることにより、その面にバッグを保持させることができる。また、本考案のバッグは、非常持出し用の物品を収容させるバッグに適しているが、それ以外の物品であっても収容させることができる。
【００１２】
本考案にかかるバッグは、上記構成に加え、
「前記開口部が前記蓋部によって閉じられている状態で、前記開口部の内周縁は、前記バッグ本体の正面、平面、底面、右側面、及び左側面に表れていない」ものとすることができる。
【００１３】
上記のように、本考案のバッグは、ドアや壁などバッグを保持させる面に、バッグ本体の背面を対面させた状態で保管される。従って、バッグが保管されている状態で視認されるのは、正面、平面、底面、右側面、及び左側面である。本構成では、このようにバッグ本体において外部から視認される面に、蓋部によって閉じられた開口部の内周縁が表れていない。そのため、直方体で開口部のない単なる箱のように見え、バッグであること自体が分かりにくい。従って、玄関など、通常はバッグが置かれることがない場所に保管されていても、違和感を与えることがない。
【００１４】
本考案にかかるバッグは、上記構成に加え、
「複数の前記環状部は、前記バッグ本体に対して回動することにより、全体が前記バッグ本体の背面と重畳した姿勢を取る」ものとすることができる。
【００１５】
上記のように、本考案のバッグは、ベルト体をバッグ本体に取り付けるための環状部を備えている。本構成では、環状部がバッグ本体に対して回動可能であり、回動させることにより環状部の姿勢を、その全体がバッグ本体の背面と重畳している姿勢とすることができる。つまり、バッグ本体の背面の周縁に取り付けられている環状部を、背面から突出していない姿勢とすることができる。このような姿勢のとき、バッグを保持させる面にバッグ本体の背面を対面させている状態では、環状部は外部から視認されない。従って、保管状態にあるバッグの外観が、より良いものとなる。
【００１６】
本考案にかかるバッグは、上記構成に加え、
「前記開口部は、前記バッグ本体の背面で開口しており、
前記蓋部は、スライドファスナーを介して前記開口部を開閉する」ものとすることができる。
【００１７】
これは、蓋部が、スライドファスナーを介して開口部を開閉するタイプのバッグの構成である。このタイプでは、蓋部によって開口部が閉じられている状態でも、開口部の内周縁は外観に表れる。しかしながら、開口部が設けられているのはバッグ本体の背面であるため、開口部の内周縁はバッグ本体の正面、平面、底面、右側面、及び左側面に表れないものであり、バッグを保持させる面にバッグ本体の背面を対面させている保管状態では、開口部の内周縁は外部から視認されない。従って、上述したように、直方体で開口部のない箱のように見え、バッグであること自体が分かりにくいため、通常はバッグが置かれることがない場所に保管されていても、違和感のないバッグとなる。
【００１８】
本考案にかかるバッグは、上記構成に替えて、
「前記開口部は、前記バッグ本体の上面から正面にかけて、それぞれの面において部分的に開口しており、
前記蓋部は、少なくとも前記バッグ本体の上面及び正面を全面的に被覆する折り曲げ式蓋である」ものとすることができる。
【００１９】
これは、蓋部が折り曲げ式蓋であり、バッグ本体において開口部が設けられている面を、蓋部が全面的に被覆するタイプのバッグの構成である。バッグ本体において開口部が設けられている面を蓋部が全面的に被覆していることにより、開口部は外観に表れない。つまり、バッグ本体において上面から正面にかけて開口部が開口していても、蓋部によって開口部が閉じられている状態では、開口部の内周縁はバッグ本体の正面、平面、底面、右側面、及び左側面に表れない。従って、上記のタイプのバッグと同様に、直方体で開口部のない箱のように見え、バッグであること自体が分かりにくいため、通常はバッグが置かれることがない場所に保管されていても、違和感のないバッグとなる。
【考案の効果】
【００２０】
以上のように、本考案によれば、非常時に持ち出し易い場所に保管することができると共に、そのような場所で日常的に目にしても外観がよく違和感のないバッグを、提供することができる。
【図面の簡単な説明】
【００２１】
【図１】図１（ａ）は第一実施形態のバッグ１を背面側から見た斜視図であり、図１（ｂ）は開口部が開放された状態のバッグ１を図１（ａ）と同じ方向から見た斜視図である。
【図２】図２（ａ）はバッグ１を正面及び底面側から見た斜視図であり、図２（ｂ）はベルト体を取り付けた状態のバッグ１の背面図である。
【図３】図３はバッグ１の使用状態を示す図である。
【図４】図４（ａ）は第二実施形態のバッグ２について開口部が開放された状態の斜視図であり、図４（ｂ）は開口部が閉じられた状態のバッグ２の斜視図であり、図４（ｃ）は開口部が閉じられた状態のバッグ２を背面側から見た斜視図である。
【考案を実施するための形態】
【００２２】
以下、本考案の具体的な実施形態のバッグについて、図面を用いて説明する。まず、第一実施形態のバッグ１について、図１乃至図３を用いて説明する。バッグ１は、外形が直方体のバッグ本体１０と、バッグ本体１０に設けられている開口部１５と、開口部１５を開閉する蓋部２０と、バッグ本体１０に設けられているポケット３０と、ポケット３０に収容されている永久磁石（図示を省略）と、バッグ本体１０に取り付けられている環状部４１と、環状部４１を介してバッグ本体１０に取り付けられるベルト体５０と、を具備している。
【００２３】
より具体的に説明すると、バッグ本体１０は、正面視及び背面視が長方形で、その上下方向の長さ及び左右方向の長さはそれぞれ３０ｃｍ〜３５ｃｍであり、正面から背面に向かう方向の長さ（厚さ）が８ｃｍ〜１８ｃｍの平たい箱型である。以下では、単に「正面」、「背面」、「平面」、「底面」、「右側面」、及び「左側面」と称した場合は、それぞれバッグ本体１０における正面、背面、平面、底面、右側面、及び左側面を指すものとする。
【００２４】
開口部１５は、背面において、外周辺から３ｃｍ〜５ｃｍの間隔をあけて略四角形に開口しており、開口部１５の内周縁が形成する略四角形の各辺は、背面の四つの外周辺とそれぞれ平行である。蓋部２０は、開口部１５の内周縁の形状とほぼ同じ外形及び寸法を有しており、底面側の一辺で開口部１５の内周縁に固着されている。開口部１５の内周縁の残る三辺と蓋部２０の残る三辺には、それぞれスライドファスナー２６の半体が取り付けられており、それぞれの歯の噛み合いによって開口部１５を開閉する。なお、開口部１５の内周縁及び蓋部２０の外形である略四角形において、平面側の二つの角部は円弧状に丸みを帯びている。また、バッグ本体１０と蓋部２０は、変形しにくく内容物の輪郭が表れにくい材料で形成された準剛体である。
【００２５】
ポケット３０は四つあり、背面の四隅にそれぞれ設けられて、背面の中心に向かって開口している。各ポケット３０の開口は、雌雄の面ファスナーの係合により開閉する。ポケット３０には、それぞれ永久磁石が収容されている。本実施形態では、永久磁石として円盤状のネオジム磁石を使用し、有底円筒状のヨークを被せることにより一方向に磁束を集中させてあり、磁束を集中させた方向を外方に向けた状態でポケット３０に収容されている。ポケット３０の開口が開閉することにより、バッグ１を保持させる対象面（以下、単に「対象面」と称する）の材質や表面粗さ等に起因して相違する“磁石のつきやすさ”に応じて、永久磁石を強さの異なる種類に取り換えることができる。
【００２６】
環状部４１は、背面の外周部において、上部の中央と下部の左右端近傍に計三つが取り付けられている。環状部４１はＤ字形を呈しており、Ｄ字における直線部が背面に取り付けられた筒部４０に通されている。筒部４０は、短い布テープを折り曲げ、開端辺が重ね合わされた状態でバッグ本体１０に縫着されることにより形成されている。このような構成により、環状部４１はＤ字における直線部を回転軸として回動する。この回転軸は、背面視における左右方向である。環状部４１がこのような構成であることにより、図１（ａ）に示すように、環状部４１の姿勢を、背面の外周辺から突出することなく、その全体が背面と重畳している姿勢とすることができる。
【００２７】
ベルト体５０は本実施形態では一本であり、両端にフック５１を有している。また、ベルト体５０は、全長を調整するためのアジャスタ５２を備えている。
【００２８】
バッグ本体１０の外表面において、背面を除く五つの面（正面、平面、底面、右側面、及び左側面）は、開口部、ポケット、突起物などを何ら有さない平坦な面である。
【００２９】
なお、蓋部２０の裏面には、マチのない内ポケット２４が設けられている。内ポケット２４は、透明な樹脂シートで形成されている。
【００３０】
上記構成のバッグ１には、非常持出し用の物品として、水、缶入りパン、手回し充電式ラジオ兼ライト、レインコート、軍手、折り畳み式防災用帽子、防寒シート、薬剤などを、コンパクトに収容させることができる。バッグ本体１０は、かっちりとした直方体であるため、物品を収容させる作業が行いやすい。また、ベルト体５０は、環状部４１から取り外されている状態で、蓋部２０を開けたときに取り出し易い位置に収容しておく。
【００３１】
内ポケット２４には、防災に関する情報が記載されたシート状の防災ガイドを入れておくことができる。防災ガイドは、氏名、住所、血液型などの個人情報、緊急時の連絡先、災害用伝言ダイヤルなど安否確認の手段の案内、非常持出し用の物品リストなどが記載されている。内ポケット２４は透明であるため、そこに防災ガイドが入っていることが一見して分かり易い。
【００３２】
非常持出し用の物品を収容させたバッグ１は、災害に備えて、図３に例示するように、玄関のドア１１０や玄関に近い壁面１２０に保持させておくことができる。バッグ本体１０の背面に永久磁石が取り付けられているため、スチール製のドアや壁など強磁性を有する対象面に、吸着により保持させておくことができる。或いは、スチール製のデスクやロッカーなど、職場で自分が使用するスペースにおける強磁性を有する対象面に、バッグ１を保持させることができる。
【００３３】
バッグ１を対象面に保持させる際は、環状部４１を回動させ、その全体を背面に重畳させておけば、環状部４１が背面から突出する（はみ出す）ことがないため、外観の良いものとなる。
【００３４】
このようにして対象面に保持されたバッグ１は、輪郭が直線状の平たい箱状であるため、ドア、壁、家具など直線的な輪郭線を有する室内の構成と良く馴染み、日常的に目にしても違和感がない。加えて、背面を除く五つの面、すなわち外部から視認される面の全てが、開口部（及び蓋部）や突起物のない平坦面であるため、すっきりとした良い外観であると共に、バッグであること自体が分かりにくいため、通常はバッグを置かない場所にあっても違和感がない。
【００３５】
なお、背面の上部中央の環状部４１をフックに引掛けることにより、強磁性を有していなくてもフックを備えている対象面に、バッグ１を保持させることもできる。
【００３６】
非常時にバッグ１を持ち出す際は、バッグ１を対象面から外し、蓋部２０を開けてベルト体５０を取り出す。そして、上部中央の環状部４１にベルト体５０を通した上で、両端のフック５１をそれぞれ下部の左右端近傍の環状部４１に係止させる。このような簡単な作業により、図２（ｂ）に示すように、ベルト体５０が背負いベルトとなるため、バッグ１を背負って速やかに避難することができる。
【００３７】
次に、第二実施形態のバッグ２について、図４を用いて説明する、バッグ２が、第一実施形態のバッグ１と相違する点は、開口部１５ｂ及び蓋部２２の位置と形状であり、その他の構成はバッグ１と同様である。バッグ２では、開口部１５ｂは平面から正面にかけて開口している。より具体的には、開口部１５ｂは、平面においては背面側、右側面側、及び左側面側の外周部を除いて開口しており、正面においては平面の開口と連続してその上部に開口している。
【００３８】
一方、蓋部２２は折り曲げ式蓋であり、その一辺が背面の上辺に固着されている。蓋部２２は、バッグ本体１０の平面を全体的に被覆すると共に平面からはみ出さない第一蓋部２２ａと、第一蓋部２２ａから延出しており、正面を全面的に被覆すると共に正面からはみ出さない第二蓋部２２ｂと、第二蓋部２２ｂから延出しており、底面を全面的に被覆すると共に底面からはみ出さない第三蓋部２２ｃとからなる。
【００３９】
第二蓋部２２ｂの裏面には透明な内ポケット２４が設けられているが、第一蓋部２２ａ、第二蓋部２２ｂ、及び第三蓋部２２ｃの何れにおいても、おもて面（外表面）は開口部、ポケット、突起物などを何ら有さない平坦な面である。
【００４０】
バッグ２のバッグ本体１０において、正面の下部には面ファスナー２８ａが貼着されており、これと係合する面ファスナー２８ｂが第二蓋部２２ｂの裏面に貼着されている。また、底面にも面ファスナー（図面には表れていない）が貼着されており、これと係合する面ファスナー２９ｂが第三蓋部２２ｃの裏面に貼着されている。
【００４１】
開口部１５ｂ及び蓋部２２が上記構成であることにより、蓋部２２によって開口部１５ｂが閉じられている状態では、図４（ｂ）に示すように、開口部１５ｂが外観に表れない。この状態のバッグ２は、視認される面の全てが平坦面である平たい箱状であるため、第一実施形態のバッグ１と同様に、すっきりとした良い外観であると共に、バッグであること自体が分かりにくく、通常はバッグを置かない場所にあっても違和感がない。
【００４２】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００４３】
例えば、第二実施形態のバッグ２の蓋部２２として、バッグ本体１０の底面を被覆する第三蓋部２２ｃを備える場合を例示したが、第一蓋部２２ａと第二蓋部２２ｂのみからなる折り曲げ式蓋とすることができる。そのような蓋部であっても、蓋部によって開口部が閉じられている状態では、開口部は外観に表れない。
【符号の説明】
【００４４】
１，２  バッグ
１０  バッグ本体
１５，１５ｂ  開口部
２０，２２  蓋部
２６  スライドファスナー
３０  ポケット
４０  筒部
４１  環状部
５０  ベルト体
【図１】
0003220150.tif 000003
【図２】
0003220150.tif 000004
【図３】
0003220150.tif 000005
【図４】
0003220150.tif 000006